(57)【特許請求の範囲】
【請求項１】
躯体に取り付けた左右のブラケットと、
左右のブラケット間に亘って開口幅方向に延びる上側ケース止め材と、
左右のブラケット間に亘って開口幅方向に延びる下側ケース止め材と、
上側係止片、下側取付片を備え、開口幅方向に連設してなる３枚以上の湾曲ケース板と、
を備え、
各湾曲ケース板は、隣位の湾曲ケース板の幅方向端部同士を重ねた状態で、前記上側係止片を前記上側ケース止め材の被係止片に係止し、前記下側取付片を前記下側ケース止め材に取り付けるようになっており、開口幅方向両側に位置する左右の湾曲ケース板は、その端部が隣位の湾曲ケース板の端部に対して外側から重なる湾曲ケース板であり、
前記上側ケース止め材には、少なくとも前記左右の湾曲ケース板に対応して、外れ止め手段が設けてあり、前記外れ止め手段は、湾曲ケース板の上側係止片が前記上側ケース止め材の被係止片から外れた場合に、前記上側係止片が係止する被係止部を備えている、
シャッターケース。
【請求項２】
前記上側ケース止め材の前記被係止片は、下向きに延びる降下片であり、
前記湾曲ケース板の前記上側係止片は、立ち上がり片であり、
前記外れ止め手段の前記被係止部は、前記降下片よりも下方に位置している、
請求項１に記載のシャッターケース。
【請求項３】
前記外れ止め手段は、前記上側ケース止め材に固定された第１要素と、第１要素に対して上側の第１の位置と下側の第２の位置との間で上下動可能に取り付けられた第２要素と、からなり、
前記湾曲ケース板の前記上側係止片が前記上側ケース止め材の前記被係止片に係止している時には、前記第２要素は第１の位置にあり、
前記湾曲ケース板の前記上側係止片が前記上側ケース止め材の前記被係止片から外れた時には、前記第２要素は第２の位置にあり、当該第２要素が前記被係止部となる、
請求項１、２いずれか１項に記載のシャッターケース。
【請求項４】
前記湾曲ケース板を弾性変形させると共に、第２の位置にある前記第２要素を第１の位置に持ち上げることで、前記湾曲ケース板の前記上側係止片を、正面から取り外すことが可能となっている、
請求項３に記載のシャッターケース。
【発明の詳細な説明】
【技術分野】
【０００１】
本発明はシャッターケースに係り、詳しくは、その取付構造に特徴を備えたシャッターケースに関するものである。
【背景技術】
【０００２】
巻取シャフト及び巻取シャフトに巻装されたシャッターカーテンを収容するシャッターケースとして、いわゆる丸ケースが知られている（特許文献１〜３）。丸ケースは、金属製のケース板を断面視ほぼ円弧状に湾曲して形成されており、上端部が躯体側に取り付けられ、下端部がまぐさ部ないしまぐさ部近傍に取り付けられる。
【０００３】
実際の現場では、丸ケースは、湾曲状のケース板の上端部を躯体側に設けた上側ケース止め材に係止している。しかしながら、振動等により上端部の係止状態が外れる場合も考えられる。また、ケース板の製作誤差から、取り付け時に現場で湾曲状のケース板を少し上下方向に潰すように変形させて取り付ける場合があり、変形の程度によっては上端部の係止状態が外れやすくなってしまう。丸ケースの下端部をまぐさ部近傍に設けた下側取付部材に螺子で固定することで、丸ケースの上端部の係止状態が外れた時のケース板の脱落を防止しているが、螺子の止め忘れがあった時に上端部の係止状態が外れると、丸ケースが脱落してしまうおそれがある。
【０００４】
また、ケース板は、開口幅寸法に対して短尺であり、複数枚のケース板を、幅方向端部同士を重ねながら開口幅方向に連設することでシャッターケースが形成されるが、施工やメンテナンスを考慮した取付構造も要望されている。
【特許文献１】実開昭４８−１００５５０
【特許文献２】実公昭５８−５０３３
【特許文献３】特開２００８−２９７８１４
【発明の開示】
【発明が解決しようとする課題】
【０００５】
本発明は、ケース板の上側の係止状態が外れることを防止してケース板の脱落を防止する取付構造を備えたシャッターケースを提供することを目的とするものである。
本発明の他の目的は、ケース板の上側の係止状態が外れることを防止するものでありながら、施工やメンテナンスを考慮した取付構造を提供するものである。
【課題を解決するための手段】
【０００６】
本発明が採用した技術手段は、
躯体に取り付けた左右のブラケットと、
左右のブラケット間に亘って開口幅方向に延びる上側ケース止め材と、
左右のブラケット間に亘って開口幅方向に延びる下側ケース止め材と、
上側係止片、下側取付片を備え、開口幅方向に連設してなる複数枚の湾曲ケース板と、
を備え、
各湾曲ケース板は、隣位の湾曲ケース板の幅方向端部同士を重ねた状態で、前記上側係止片を前記上側ケース止め材の被係止片に係止し、前記下側取付片を前記下側ケース止め材に取り付けるようになっており、隣位の湾曲ケース板に対して外側から重なる湾曲ケース板を外側湾曲ケース板とし、
前記上側ケース止め材には、少なくとも前記外側湾曲ケース板に対応して、外れ止め手段が設けてあり、前記外れ止め手段は、湾曲ケース板の上側係止片が前記上側ケース止め材の被係止片から外れた場合に、前記上側係止片が係止する被係止部を備えている、
シャッターケース、である。
【０００７】
１つの態様では、３枚以上の湾曲ケース板を備え、開口幅方向両側に位置する左右の湾曲ケース板は、その端部が隣位の湾曲ケース板の端部に対して外側から重なる外側湾曲ケース板であり、
前記上側ケース止め材には、少なくとも前記左右の湾曲ケース板に対応して、前記外れ止め手段が設けてある。
【０００８】
１つの態様では、前記上側ケース止め材の前記被係止片は、下向きに延びる降下片であり、
前記湾曲ケース板の前記上側係止片は、立ち上がり片であり、
前記外れ止め手段の前記被係止部は、前記降下片よりも下方に位置している。
【０００９】
１つの態様では、前記外れ止め手段は、前記上側ケース止め材に固定された第１要素と、第１要素に対して上側の第１の位置と下側の第２の位置との間で上下動可能に取り付けられた第２要素と、からなり、
前記湾曲ケース板の前記上側係止片が前記上側ケース止め材の前記被係止片に係止している時には、前記第２要素は第１の位置にあり、
前記湾曲ケース板の前記上側係止片が前記上側ケース止め材の前記被係止片から外れた時には、前記第２要素は第２の位置にあり、当該第２要素が前記被係止部となる。
【００１０】
１つの態様では、前記湾曲ケース板を弾性変形させると共に、第２の位置にある前記第２要素を第１の位置に持ち上げることで、前記湾曲ケース板の前記上側係止片を、正面から取り外すことが可能となっている。
【発明の効果】
【００１１】
本発明は外れ止め手段を設けたことによって、ケース板の上側の係止状態が外れることを防止してケース板の脱落を防止する。
【００１２】
ケース板の上側の係止状態が外れることを防止することで、ケース板の下側を螺子止めすることは必須ではなくなり、施工性を向上させることができる。
【００１３】
可動の外れ止め手段を設けたものでは、ケース板の上側の係止状態が外れることを防止するものでありながら、上側係止片を正面から（横方向にスライドさせることなく）取り外すことができ、施工性やメンテナンス性を向上させることができる。
【図面の簡単な説明】
【００１４】
【図１】シャッターケースを示す開口部上方部位の縦断面図である。
【図２】シャッターケースの正面図である。
【図３】可動式の外れ止め手段を備えた上側ケース止め材の平面図、正面図である。
【図４】図３に示す上側ケース止め材の側面図である。
【図５】外れ止め手段の平面図、側面図、正面図である。
【図６】図５の側面図における連結手段を分解して示す。
【図７】外れ止め手段を構成する第１要素の平面図、断面図（中央部分）、正面図である。
【図８】外れ止め手段を構成する第２要素の平面図、断面図（中央部分）、断面図（両側部分）、正面図である。
【図９】（Ａ）は、湾曲ケース板の上側係止片が上側ケース止め材の被係止片に係止している状態を示し、外れ止め手段の第２要素は上側の第１の位置にある。（Ｂ）は、湾曲ケース板の上側係止片が上側ケース止め材の被係止片から外れた状態を示し、外れ止め手段の第２要素は下側の第２の位置にあって、湾曲ケース板の上側係止片が第２要素の被係止部に係止している状態を示す。（Ｃ）は、湾曲ケース板の上側係止片を正面から外す時の状態を示し、外れ止め手段の第２要素は上側の第１の位置にある。
【図１０】固定式の外れ防止手段を備えた上側ケース止め材の平面図、正面図である。
【図１１】図１０に示す上側ケース止め材の側面図である。
【図１２】湾曲ケース板の上側係止片が上側ケース止め材の被係止片に係止している状態を示す。
【図１３】湾曲ケース板の下側取付片の取付態様を示す図である。
【発明を実施するための形態】
【００１５】
図１は、シャッターケースを示す建物開口部上方部位の縦断面図、図２は、シャッターケースの正面図であり、天井Ｃの上方に位置して、壁体Ｗには、開口幅方向に間隔を設けて左右のブラケット１が持ち出し状に対向して設けてある。ブラケット１は、上縁１０、下縁１１、基端縁１２、先端縁１３を備えた方形の板体から形成されており、基端縁１２には基端片１２０が折曲形成されており、基端片１２０を壁体Ｗに当接させてボルトＢで固定することで、上記板体が壁体Ｗから垂直に延びている。本明細書において、ある要素が壁体Ｗに近い部位と、壁体Ｗから遠い部位を備えている場合に、壁体Ｗに近い側を第１側、壁体Ｗから遠い側を第２側という。
【００１６】
図２に示すように、ブラケット１の上縁１０、下縁１１には、上片１００、下片１１０がそれぞれ折曲形成されており、左右のブラケット１間において、下片１１０の長さ方向中央部位間には、取付部材２の長さ方向の両端部位がそれぞれ固定されている。図１に示すように、取付部材２の第１側部位（垂直面２２）には、ガイドレール上部ガイドＧの高さ位置に対応してスムーサ３Ａ、エマーゼンシースイッチ３Ｂが設けられ、まぐさ部に位置して外まぐさ材３Ｃが設けてある。左右のブラケット１間には、巻取シャフト４Ａ（図１参照）が支持されており、巻取シャフト４Ａにはシャッターカーテン４Ｂが巻装される。
【００１７】
左右のブラケット１の上縁１０と基端辺１２とで形成された角部（すなわちブラケット１の第１側の上方部位）間には、上側ケース止め材５の長さ方向両端部がそれぞれ固定されている。取付部材２の第２側部位（垂直面２３）には、長さ方向に亘って下側ケース止め材６が固定されている。上側ケース止め材５には、長さ方向に間隔を存して複数の外れ止め手段（第１要素７と第２要素８とからなる）が設けてある。シャッターケースは複数枚の湾曲状のケース板９を開口幅方向に連設してなり、各ケース板９の上端、下端をそれぞれ上側ケース止め材５、下側ケース止め材６に取り付けることで、湾曲した弧状の内側面と壁体Ｗとの間に巻取シャフト４Ａに巻き取られたシャッターカーテン４Ｂの収容空間が形成される。図２に示す態様では、外れ止め手段（第１要素７、第２要素８）は、各ケース板９１、９２、９３、９４、９５に１つの外れ止め手段が対応するように設けてある。
【００１８】
図１に示すように、ケース板９は、断面視ないし側面視において、円弧状部９０と、円弧状部９０の上端から第１側（壁体Ｗ）に向かって上向き傾斜状に延びる上側傾斜部９１と、円弧状部９０の下端から第１側（壁体Ｗ）に向かって下向き傾斜状に延びる下側傾斜部９２と、から一体形成された湾曲部と、湾曲部の上端（上側傾斜部９１の端部）に一体形成され、上側傾斜部に対してほぼ垂直状に上向きに折曲された上側係止片９３と、湾曲部の下端（下側傾斜部９２の端部）に一体形成され、下側傾斜部に対してほぼ垂直状に下向きに折曲された下側取付片９４と、からなる。ケース板９の上側係止片９３は上側ケース止め材５に係止され、下側取付片９４は下側ケース止め材６に取り付けられる。図１３左図に示す態様では、下側取付片９４は下側ケース止め材６に係止する下側係止片であり、下側取付片９４は係止によって下側ケース止め材６に取り付けられる。図１３右図に示す態様では、下側取付片９４は下側ケース止め材６及び取付部材２に対して取り付けられており、この場合、取付部材２も下側ケース止め材として機能する。
【００１９】
図２、図３に示すように、上側ケース止め材５は、開口幅方向に延びる長尺材であって、図４に示すように、壁体Ｗに沿って延びる垂直片５０と、垂直片５０の下端から第２側へ向かって水平状に延びる下片５１と、垂直片５０の上端から第２側へ向かって水平状に延びる上片５２と、上片５２の先端から垂下する上側垂直片５３と、から形成されている。下片５１の突出寸法（第１側から第２側へ向かう）は、上片５２の突出寸法よりも大きい寸法を有している。上側ケース止め材５の上側垂直片５３が、ケース板９の上側係止片９３が係止する被係止片となっている。
【００２０】
図３〜図５に示すように、外れ止め手段は、上側ケース止め材５に固定された第１要素７と、第１要素７に対して上側の第１の位置（図９（Ａ）、（Ｃ））と下側の第２の位置（図３〜図５、図９（Ｂ））との間で上下動可能に取り付けられた第２要素８と、からなる可動式外れ止め手段である。
【００２１】
図７に示すように、第１要素７は、水平片７０と、垂直片７１と、から側面視略逆Ｌ形状を有している。水平片７０の横幅寸法は、垂直片７１の横幅寸法よりも小さくなっている。垂直片７１は、横幅方向両側に位置する両側部分７１０、７１０と、両側部分７１０の間の中央部分７１１と、からなり、中央部分７１１の縦幅寸法は両側部分７１０の縦幅寸法よりも小さくなっており、中央部分７１１の上部は凹状に、下部は下向き凹状に、それぞれ形成されている。両側部分７１０には孔７１２が形成されている。水平片７０は、垂直片７１の中央部分７１１の上端から第１側に向かって水平状に延びている。
【００２２】
図８に示すように、第２要素８は、垂直片８０と、傾斜片８１と、から側面視略Ｖ形状を有しており、傾斜片８１の横幅寸法は、垂直片８０の横幅寸法よりも小さくなっている。垂直片８０は、横幅方向両側に位置する両側部分８００、８００と、両側部分８００の間の中央部分８０１と、からなり、中央部分８０１の縦幅寸法は両側部分８００の縦幅寸法よりも小さくなっており、中央部分８０１の上側は凹状に形成されている。両側部分８００には縦長孔８０２が形成されている。傾斜片８１は、垂直片８０の中央部分８０１の下端から第２側に向かって傾斜状に立ち上がっている。
【００２３】
図４、図６に示すように、第１要素７と第２要素８は、第１要素７の垂直片７１の第１側面を、第２要素８の垂直片８０の第２側面に近接させて、第１要素７に対する第２要素８の上下動を許容する連結手段によって一体化さている。連結手段は、螺子１４と、平座金１５と、カラー１６と、ばね座金１７と、ナット１８とからなり、螺子１４の軸部を、第２要素８の縦長孔８０２を挿通させて、第１要素７の孔７１２に螺合させることで、縦長孔８０２の上下寸法内において、螺子１４の軸部に対して第２要素８が上下動可能となっている。螺子１４の頭部、平座金１５は、第２要素８の垂直片８０の第１側に位置しており、ばね座金１７、ナット１８は、第１要素７の垂直片７１の第２側に位置している。カラー１６は、垂直片８０よりも肉厚であり、縦長孔８０２内に位置すると共に、第１側部位が垂直片８０の第１側面よりも第１側に僅かに突出している。連結手段の構成は、図示の態様に限定されるものではなく、可動の外れ止め手段を実現するために当業者において適宜他の構成が取り得る。図４に示すように、第１要素７と第２要素８を組み合わせて構成された外れ止め手段は、第１要素７の水平片７０の下面を上片５２の上面に固定（例えば溶接）することで上側ケース止め材５に取り付けられている。また、下片５１の第２側端部と、第２要素８の垂直片８０は側面視同一鉛直線上に位置している。
【００２４】
湾曲ケース板９は、上下方向に弾性変形させることで上側係止片９３を、上側ケース止め材５の上側垂直片５３の下端と下片５１との間の開口から差し入れ、上側ケース止め材５の上側垂直片５３（被係止片）に係止させる。図９（Ａ）に示すように、湾曲ケース板９の上側係止片９３が上側ケース止め材５の上側垂直片５３（被係止片）に係止している時には、湾曲ケース板９の上側傾斜部９１が、第２要素８の下端に当接して第２要素８を押し上げた状態で、第２要素８は上側の第１の位置にある。
【００２５】
図９（Ｂ）に示すように、振動等によって、湾曲ケース板９の上側係止片９３が上側ケース止め材の上側垂直片５３（被係止片）から外れた時には、第１の位置にある第２要素８は、自重によって下方に移動して下側の第２の位置となる。第２要素８が第２の位置にある時には、第２要素８（垂直片８０）の下端が上側垂直片５３の下端より下方に突出しており、上側係止片９３が、上側ケース止め材５の上側垂直片５３と下片５１との間から抜け出た時には、上側係止片９３が第２要素８（垂直片８０）の下端（被係止部）に係止して、湾曲ケース板９の上端側が外れることが防止される。
【００２６】
図１３を参照しつつ、湾曲ケース板９の下側取付片９４の取り付けについて説明する。取付部材２は、上面２０、下面２１、第１側の垂直面２２と、第２側の垂直面２３から断面視正方形状を有する方形パイプであり、第２側の垂直面２３には、下側ケース止め材６が連結されている。下側ケース止め材６は、開口幅方向に延びる長尺材であって、垂直片６０と、垂直片６０の上端から第２側に向かって水平状に延びる下側水平片６１と、下側水平片６１の先端から立ち上がる垂直片６２と、垂直片６２の上端から下側水平片６１に対向して第１側に向かって水平状に延びる上側水平片６３と、からなる。上側水平片６３は下側水平片６１に対して短く、上側水平片６３と垂直面２３との間に開口が形成されている。
【００２７】
図１３左図に示すように、湾曲ケース板９の下側取付片９４は、下側ケース止め材６の上側水平片６３に係止させたものでもよい。湾曲ケース板９の上側係止片９３の外れを防止しているので、下側取付片９４を螺子等で固定しなくても、湾曲ケース板９が脱落することがない。
【００２８】
図１３右図に示すように、湾曲ケース板９の下側取付片９４の先端を下側ケース止め材６の下側水平片６１に当接させ、下側傾斜部９２と下側取付片９４との角部を垂直面２３に当接させて、角部において螺子２４で垂直面２３に固定してもよい（図１参照）。
【００２９】
シャッターケースは、湾曲ケース板９を開口幅方向に連設することで形成されている。図２に示す態様では、シャッターケースは、５枚のケース板９１、９２、９３、９４、９５から形成されている。ケース板９１、９５が両端に位置する左右のケース板９１、９５であり、ケース板９２、９３、９４が中間に位置している。図示の態様では、左右のケース板９１、９５の幅寸法は、ケース板９２、９３、９４の幅寸法よりも短尺であるが、これには限定されない。
【００３０】
５枚のケース板９１、９２、９３、９４、９５の幅方向の端部の重なりの態様は、ケース板９２の右側端部にケース板９３の左側端部が外側から重なり、ケース板９３の右側端部にケース板９４の左側端部が外側から重なり、ケース板９２の左側端部にケース板９１の右側端部が外側から重なり、ケース板９４の右側端部にケース板９５の左側端部が外側から重なっている。したがって、左右のケース板９１、９５の端部が押さえになることで、左右のケース板９１、９５が脱落しない限り、中間のケース板９２、９３、９４は脱落しない。
【００３１】
５枚のケース板９１、９２、９３、９４、９５の取り付け順序は、ケース板９２を最初に取り付け、ケース板９２の右側端部にケース板９３の左側端部を重ねるようにしてケース板９３を取り付け、ケース板９３の右側端部にケース板９４の左側端部を重ねるようにしてケース板９４を取り付け、ケース板９２の左側端部にケース板９１の右側端部を重ねるようにしてケース板９１を取り付け、ケース板９４の右側端部にケース板９５の左側端部を重ねるようにしてケース板９５を取り付ける。
【００３２】
図９（Ｃ）に示すように、湾曲ケース板９を弾性変形させて上側傾斜部９１を押し下げて、湾曲ケース板９の上側係止片９３を上側ケース止め材の上側垂直片５３（被係止片）から外し、第２の位置に自重で移動しようとする第２要素８を上に持ち上げて第１の位置とすることで、湾曲ケース板９の上側係止片９３を、正面（上側ケース止め材５の上側垂直片５３と下片５１との間の開口）から外すことが可能となっている。左右のケース板９１、９５は最外側に位置すると共に、開閉機等のメンテナンスが必要となる他の要素は、左右のブラケット１に近い部位に配置されるので、左右のケース板９１、９５を正面から取り外すことでメンテナンスを容易に行うことができる。
【００３３】
図１０〜図１２に基づいて、固定式の外れ止め手段について説明する。外れ止め要素１９は、水平片１９０と、水平片１９０の第２側端部から垂下する垂下片１９１と、から断面視逆Ｌ形状を有している。外れ止め要素１９は、左右に位置する湾曲ケース板に対応して、上側ケース止め材５に連結される。水平片１９０の横幅寸法は垂下片１９１の横幅寸法よりも短尺となっている。外れ止め要素１９は、水平片１９０の下面を上側ケース止め材５の上片５２の上面に当接させ、垂下片１９１の第１側の面を上側垂直片５３の第２側の面に当接させて、連結（溶接等）されている。垂下片１９１の下端は、上側垂直片５３の下端よりも下方に延びている。
【００３４】
図１２は、ケース板９の上側係止片９３が上側ケース止め材５の上側垂直片５３（被係止片）に係止している状態を示す。この状態から、振動等で上側傾斜部９１が下方に下がって上側係止片９３と上側垂直片５３（被係止片）との係止状態が外れた場合には、上側係止片９３が垂下片１９１の下端部位（被係止部）に係止する。
【符号の説明】
【００３５】
１  ブラケット
２  取付部材
５  上側ケース止め材
５３  上側垂直片（被係止片）
６  下側ケース止め材
７  第１要素
８  第２要素
８０  垂直片（下端部位が被係止部となる）
９  ケース板
１９  外れ止め要素（固定式）
１９１  垂下片（下端部位が被係止部となる）
【図１】
0006453106.tif 000002
【図２】
0006453106.tif 000003
【図３】
0006453106.tif 000004
【図４】
0006453106.tif 000005
【図５】
0006453106.tif 000006
【図６】
0006453106.tif 000007
【図７】
0006453106.tif 000008
【図８】
0006453106.tif 000009
【図９】
0006453106.tif 000010
【図１０】
0006453106.tif 000011
【図１１】
0006453106.tif 000012
【図１２】
0006453106.tif 000013
【図１３】
0006453106.tif 000014